(57)【特許請求の範囲】
【請求項１】
第１バッテリ（１０）及び第２バッテリ（２０）を備える車両に搭載される電源装置であって、
前記第１バッテリ及び前記第２バッテリの間を電気的に接続する接続部（４０；９０）と、
発電機（１６；８０）と、
前記発電機に接続されて当該発電機の発電電力を出力する主出力部（ＬＬｍ）と、
前記主出力部の分岐部（ＬＢ）から分岐して、前記接続部及び前記第１バッテリの間を接続する第１電気経路（３０ａ）に接続される第１出力部（ＬＬ１）と、
前記分岐部から分岐して、前記接続部及び前記第２バッテリの間を接続する第２電気経路（３０ｂ）に接続される第２出力部（ＬＬ２）と、
前記第１出力部に設けられ、当該第１出力部において前記分岐部から前記第１電気経路側へと向かう第１方向の電流の流通を許容して、かつ、前記第１方向とは逆方向の電流の流通を阻止する第１整流部（８６）と、
前記第２出力部に設けられ、当該第２出力部において前記分岐部から前記第２電気経路側へと向かう第２方向の電流の流通を許容して、かつ、前記第２方向とは逆方向の電流の流通を阻止する第２整流部（８７）と、
前記第１バッテリ及び前記第２バッテリのそれぞれの開放端電圧を推定する第１電圧推定部（７０）と、
前記第１バッテリ及び前記第２バッテリのそれぞれについて、仮設定した充電電流で充電される場合における端子電圧を推定する第２電圧推定部（７０）と、
前記第１電圧推定部により推定された前記第１バッテリ及び前記第２バッテリのそれぞれの開放端電圧のうち、大きい方を第１判定電圧に設定する第１設定部（７０）と、
前記第２電圧推定部により推定された前記第１バッテリ及び前記第２バッテリのそれぞれの端子電圧のうち、小さい方を第２判定電圧に設定する第２設定部（７０）と、
前記第１判定電圧が前記第２判定電圧よりも低い場合、前記第１バッテリ及び前記第２バッテリのそれぞれの充電電圧が前記第１判定電圧以上であってかつ前記第２判定電圧以下の電圧範囲に収まるように、前記第１バッテリ及び前記第２バッテリのそれぞれの共通の充電指令電圧又は充電指令電流のいずれかである充電指令値を設定する指令値設定部（７０）と、
前記発電機の出力値を前記充電指令値に制御すべく前記発電機を操作する操作部（７０）と、を備える車載電源装置。
【請求項２】
第１バッテリ（１０）及び第２バッテリ（２０）を備える車両に搭載される電源装置であって、
前記第１バッテリ及び前記第２バッテリの間を電気的に接続する接続部（４０；９０）と、
発電機（１６；８０）と、
前記発電機に接続されて当該発電機の発電電力を出力して、かつ、前記接続部及び前記第１バッテリの間を接続する第１電気経路（３０ａ）に接続される第１主出力部（Ｌ１）と、
前記発電機に接続されて当該発電機の発電電力を出力して、かつ、前記接続部及び前記第２バッテリの間を接続する第２電気経路（３０ｂ）に接続される第２主出力部（Ｌ２）と、
前記第１バッテリ及び前記第２バッテリのそれぞれの開放端電圧を推定する第１電圧推定部（７０）と、
前記第１バッテリ及び前記第２バッテリのそれぞれについて、仮設定した充電電流で充電される場合における端子電圧を推定する第２電圧推定部（７０）と、
前記第１電圧推定部により推定された前記第１バッテリ及び前記第２バッテリのそれぞれの開放端電圧のうち、大きい方を第１判定電圧に設定する第１設定部（７０）と、
前記第２電圧推定部により推定された前記第１バッテリ及び前記第２バッテリのそれぞれの端子電圧のうち、小さい方を第２判定電圧に設定する第２設定部（７０）と、
前記第１判定電圧が前記第２判定電圧よりも低い場合、前記第１バッテリ及び前記第２バッテリのそれぞれの充電電圧が前記第１判定電圧以上であってかつ前記第２判定電圧以下の電圧範囲に収まるように、前記第１バッテリ及び前記第２バッテリのそれぞれの充電指令電圧又は充電指令電流のいずれかである充電指令値を設定する指令値設定部（７０）と、
前記発電機の出力値を前記充電指令値に制御すべく前記発電機を操作する操作部（７０）と、を備える車載電源装置。
【請求項３】
前記指令値設定部は、前記第１バッテリ及び前記第２バッテリのそれぞれの前記充電指令値を同一の値に設定する請求項２に記載の車載電源装置。
【請求項４】
前記第１バッテリ及び前記第２バッテリのうち一方のバッテリを他方のバッテリよりも優先的に充電するか否かを判定する優先判定部（７０）を備え、
前記指令値設定部は、前記優先判定部により優先的に充電すると判定された場合、前記一方のバッテリの前記充電指令値を前記他方のバッテリの前記充電指令値よりも大きく設定する請求項２又は３に記載の車載電源装置。
【請求項５】
前記指令値設定部は、前記充電指令値として前記充電指令電圧を設定し、
前記指令値設定部は、設定した前記充電指令電圧を前記充電指令電流に換算する換算部を含み、
前記操作部は、前記発電機の出力電流を、前記換算部により換算された前記充電指令電流に制御すべく前記発電機を操作する請求項２〜４のいずれか１項に記載の車載電源装置。
【請求項６】
前記車両には、内燃機関（５０）が備えられ、
前記発電機は、前記内燃機関から動力が供給されて発電し、
前記指令値設定部は、前記発電機の単位発電電力当たりの前記内燃機関の燃料消費増加量が最小となる前記充電指令値を設定する請求項２〜５のいずれか１項に記載の車載電源装置。
【請求項７】
第１バッテリ（１０）及び第２バッテリ（２０）を備える車両に搭載される電源装置であって、
前記第１バッテリ及び前記第２バッテリの間を電気的に接続する接続部（４０；９０）と、
発電機（１６；８０）と、
前記発電機に接続されて当該発電機の発電電力を出力して、かつ、前記接続部及び前記第１バッテリの間を接続する第１電気経路（３０ａ）に接続される第１主出力部（Ｌ１）と、
前記発電機に接続されて当該発電機の発電電力を出力して、かつ、前記接続部及び前記第２バッテリの間を接続する第２電気経路（３０ｂ）に接続される第２主出力部（Ｌ２）と、
前記第１バッテリ及び前記第２バッテリのそれぞれを電源とする電気負荷（１１ａ，２１ａ）と、
前記電気負荷において前記各バッテリの電力が入力される側に設けられ、ドレインが前記電気負荷側に接続されて、かつ、ソースが前記各バッテリ側に接続されたＭＯＳＦＥＴと、を備え、
前記第１バッテリの充電指令電圧と前記第２バッテリの充電指令電圧とが異なる場合、前記ＭＯＳＦＥＴを開状態とする車載電源装置。
【請求項８】
第１バッテリ（１０）及び第２バッテリ（２０）を備える車両に搭載される電源装置であって、
前記第１バッテリ及び前記第２バッテリの間を電気的に接続する接続部（４０；９０）と、
発電機（１６；８０）と、
前記接続部及び前記第１バッテリの間を接続する第１電気経路（３０ａ）と、前記接続部及び前記第２バッテリの間を接続する第２電気経路（３０ｂ）とのそれぞれに電気的に接続されて、かつ、前記発電機の発電電力を出力する出力部（Ｌ１，Ｌ２；ＬＬｍ，ＬＬ１，ＬＬ２，８５，８６）と、
前記第１バッテリから出力される直流電圧を変圧して出力する第１変圧部（８１）と、
前記第２バッテリから出力される直流電圧を変圧して出力する第２変圧部（８２）と、
前記第１変圧部及び前記第２変圧部のそれぞれから出力される電流により充電される共通の電源（８０）と、
前記共通の電源に電気的に接続された電気負荷（１１〜１４，２１〜２３）と、を備える車載電源装置。
【発明の詳細な説明】
【技術分野】
【０００１】
本発明は、第１，第２バッテリを備える車両に搭載される電源装置に関する。
【背景技術】
【０００２】
この種の電源装置としては、下記特許文献１に見られるように、第１バッテリとしての鉛バッテリ及び第２バッテリとしてのリチウムイオンバッテリのそれぞれに電気的に接続される電気負荷と、鉛バッテリ及びリチウムイオンバッテリの間を電気的に接続するＭＯＳＦＥＴとを備えるものが知られている。この電源装置は、さらに、鉛バッテリに電気的に接続された発電機を備えている。
【先行技術文献】
【特許文献】
【０００３】
【特許文献１】特開２０１１−７８１４７号公報
【発明の概要】
【発明が解決しようとする課題】
【０００４】
上述した電源装置において、ＭＯＳＦＥＴが閉操作された状態で、発電機の発電電力により鉛バッテリ及びリチウムイオンバッテリのそれぞれが充電される場合がある。このとき、発電機から出力された充電電流がＭＯＳＦＥＴを流れることにより、損失が発生する懸念がある。
【０００５】
本発明は、発電機の発電電力により第１バッテリ及び第２バッテリのそれぞれを充電する場合に発生する損失を低減できる車載電源装置を提供することを主たる目的とする。
【課題を解決するための手段】
【０００６】
以下、上記課題を解決するための手段、及びその作用効果について記載する。
【０００７】
本発明は、第１バッテリ（１０）及び第２バッテリ（２０）を備える車両に搭載される電源装置であって、前記第１バッテリ及び前記第２バッテリの間を電気的に接続する接続部（４０；９０）と、発電機（１６；８０）と、前記接続部及び前記第１バッテリの間を接続する第１電気経路（３０ａ）と、前記接続部及び前記第２バッテリの間を接続する第２電気経路（３０ｂ）とのそれぞれに電気的に接続されて、かつ、前記発電機の発電電力を出力する出力部（Ｌ１，Ｌ２；ＬＬｍ，ＬＬ１，ＬＬ２，８５，８６）と、を備える。
【０００８】
上記発明では、第１バッテリ及び第２バッテリの間が接続部を介して電気的に接続される。そして、出力部が、接続部及び第１バッテリの間を接続する電気経路と、接続部及び第２バッテリの間を接続する電気経路とのそれぞれに接続されている。このため、第１，第２電気経路のうち一方のみに出力部が接続されている構成と比較して、発電機の発電電力が出力部から出力されている場合における接続部の両端の電位差を小さくでき、接続部を流れる電流を低減できる。これにより、発電機の発電電力によって第１バッテリ及び第２バッテリのそれぞれを充電する場合における損失を低減することができる。
【０００９】
また、損失を低減することにより、接続部に電流が流れることによる発熱を抑制できる。このため、フィン等の放熱部の体格を小さくでき、ひいては電源装置を車両に搭載しやすくできる。
【００１０】
なお、本発明の車載電源装置、前記第１バッテリ及び前記第２バッテリを備えて車載電源システムを構成することができる。
【図面の簡単な説明】
【００１１】
【図１】第１実施形態に係る車載電源システムの全体構成図。
【図２】接続部の構成を示す図。
【図３】電動パワーステアリング装置の構成を示す図。
【図４】オルタネータの構成を示す図。
【図５】発電処理の手順を示すフローチャート。
【図６】ＳＯＣ及び出力電圧の関係を示すバッテリ特性図。
【図７】充放電電流及び出力電圧の関係を示すバッテリ特性図。
【図８】バッテリ出力電圧と電費との関係を示す特性図。
【図９】ＳＯＣ及び出力電圧の関係を示すバッテリ特性図。
【図１０】第２実施形態に係る電源システムの一部を示す図。
【図１１】第３実施形態に係るバッテリ異常判定処理の手順を示すフローチャート。
【図１２】第４実施形態に係る電源システムの構成図。
【図１３】第５実施形態に係る車載電源システムの全体構成図。
【図１４】オルタネータの構成を示す図。
【図１５】第６実施形態に係る安全プラグの配置態様を示す図。
【図１６】その他の実施形態に係る接続部の構成を示す図。
【発明を実施するための形態】
【００１２】
（第１実施形態）
以下、本発明に係る車載電源装置を具体化した第１実施形態について、図面を参照しつつ説明する。本実施形態では、電源装置が、車載主機としてエンジンを備える車両に搭載されることを想定している。
【００１３】
図１に示すように、車両は、車載電源システムを備えている。電源システムは、第１バッテリ１０及び第２バッテリ２０を備えている。本実施形態において、第１バッテリ１０及び第２バッテリ２０は、鉛バッテリであり、満充電容量が互いに同じである。第１バッテリ１０及び第２バッテリ２０のそれぞれの負極端子は、車体に接地されている。なお本実施形態において、第１バッテリ１０及び第２バッテリ２０のそれぞれの満充電容量は、各車載電気負荷の動作に要求される満充電容量を分割した容量とされている。
【００１４】
第１バッテリ１０及び第２バッテリ２０の間は、第１電気経路３０ａ、接続部４０、及び第２電気経路３０ｂを介して電気的に接続されている。詳しくは、第１バッテリ１０の正極端子には、第１電気経路３０ａを介して接続部４０の第１端が接続されている。接続部４０の第２端には、第２電気経路３０ｂを介して第２バッテリ２０の正極端子が接続されている。
【００１５】
本実施形態に係る接続部４０は、図２に示すように、第１〜第３抵抗体４１ａ〜４１ｃと、第１，第２リレー４２ａ，４２ｂとを備えている。詳しくは、接続部４０は、第１抵抗体４１ａ及び第１リレー４２ａの直列接続体と、第２抵抗体４１ｂ及び第２リレー４２ｂの直列接続体と、第３抵抗体４１ｃとが並列接続されて構成されている。この構成によれば、第１バッテリ１０と第２バッテリ２０との間が、少なくとも第３抵抗体４１ｃを介して電気的に常時接続されることとなる。なお本実施形態では、第１，第２リレー４２ａ，４２ｂとして、直流リレーを用いている。
【００１６】
先の図１の説明に戻り、電源システムは、第１バッテリ１０に並列接続された第１モジュール１１と、第２バッテリ２０に並列接続された第２モジュール２１とを備えている。本実施形態では、第１モジュール１１及び第２モジュール２１により電動パワーステアリング装置が構成されている。以下、図３を用いて、電動パワーステアリング装置について説明する。
【００１７】
第１モジュール１１は、第１駆動回路１１ａと、第１モータ１１ｂとを備えている。本実施形態において、第１駆動回路１１ａは、第１バッテリ１０から供給された直流電力と、接続部４０を介して第２バッテリ２０から供給された直流電力とを交流電力に変換して出力する３相インバータ装置である。第１駆動回路１１ａから出力された交流電力は、第１モータ１１ｂに供給される。第１モータ１１ｂは、交流電力が供給されることに駆動され、トルクを発生する。なお本実施形態において、第１モータ１１ｂは、３相のものであり、具体的には例えば永久磁石同期機を用いることができる。
【００１８】
第１モジュール１１は、さらに第１ダイオード１１ｃを備えている。第１ダイオード１１ｃのアノードには、第１電気経路３０ａを介して第１バッテリ１０の正極端子が接続され、カソードには、第１駆動回路１１ａの第１端が接続されている。第１駆動回路１１ａの第２端には、接地部位が接続されている。なお、第１ダイオード１１ｃの代わりに、ボディダイオードのアノード，カソードの向きを第１ダイオード１１ｃのアノード、カソードの向きと一致させたＭＯＳＦＥＴを備え、ＭＯＳＦＥＴを第１モジュール１１の駆動時にオンする構成を採用することもできる。具体的には、上記ＭＯＳＦＥＴは、例えば、第１電気経路３０ａ側にソースが接続され、第１駆動回路１１ａ側にドレインが接続されたＮチャネルＭＯＳＦＥＴである。
【００１９】
第２モジュール２１は、第２駆動回路２１ａと、第２モータ２１ｂと、第２ダイオード２１ｃとを備えている。なお本実施形態において、第２モジュール２１の構成は、第１モジュール１１の構成と同様である。このため本実施形態では、第２モジュール２１の詳細な説明を省略する。
【００２０】
第１モータ１１ｂ及び第２モータ２１ｂのそれぞれのロータには図示しない出力軸が接続され、これら出力軸には、減速機等を介して操舵用のハンドル５２が接続されている。第１モジュール１１及び第２モジュール２１は、第１駆動回路１１ａ及び第２駆動回路２１ａが互いに情報のやり取りをしながら、運転者の操舵をアシストするアシストトルクを協働により発生する。なお図３では、便宜上、２つのモータを別々に設置する構成を示した。ただし、この構成に限らず、１つのモータに２組の３相巻線を巻き、各組の巻線にそれぞれの駆動回路から通電する構成などを採用することもできる。
【００２１】
先の図１の説明に戻り、電源システムは、第１バッテリ１０に並列接続された第１検知部１２と、第２バッテリ２０に並列接続された第２検知部２２とを備えている。本実施形態において、第１検知部１２及び第２検知部２２は、自車両の前方の走路を撮影する車載カメラである。第１検知部１２及び第２検知部２２のそれぞれは、第１バッテリ１０及び第２バッテリ２０のそれぞれを電源として動作する。
【００２２】
電源システムは、第１バッテリ１０に並列接続された第１基本電気負荷１３と、第２バッテリ２０に並列接続された第２基本電気負荷２３とを備えている。第１基本電気負荷１３及び第２基本電気負荷２３のそれぞれは、第１バッテリ１０及び第２バッテリ２０のそれぞれを電源として動作する。
【００２３】
電源システムは、スタータ１４を備えている。スタータ１４は、第１バッテリ１０に並列接続されている。スタータ１４は、給電されて駆動することにより、クランク軸５０ａに初期回転を付与し、エンジン５０を始動させる。エンジン５０の始動完了後、エンジン５０から出力される動力は駆動輪５１に伝達される。なお本実施形態において、スタータ１４が動作する場合の消費電力は３００Ｗを超えている。また、第１バッテリ１０に接続されて、かつ、消費電力が３００Ｗを超えるその他の負荷に、例えば、電動エアコン用コンプレッサ及び電動スタビライザのうち少なくとも一方が含まれてもよい。
【００２４】
スタータ１４は、第１バッテリ１０からの給電と、接続部４０を介した第２バッテリ２０からの給電とにより駆動される。これにより、スタータ１４に２つのバッテリから十分な電力を供給できる。また、接続部４０が設けられているため、スタータ１４が駆動されて電力を消費する場合であっても、第２バッテリ２０の出力電圧の低下量が第１バッテリ１０の出力電圧の低下量よりも小さくなる。このため、接続部４０よりも第２バッテリ２０側に接続された電気負荷への供給電圧を安定させることができる。特に本実施形態では、動作信頼性を保証できる第２基本電気負荷２３の供給電圧の許容下限値が、動作信頼性を保証できる第１基本電気負荷１３及びスタータ１４のそれぞれの供給電圧の許容下限値よりも高い。このため、接続部４０よりも第２バッテリ２０側に第２基本電気負荷２３が接続されることにより、スタータ１４が駆動された場合における第２基本電気負荷２３の動作信頼性を保証できる。
【００２５】
なお、第１検知部１２、第１基本電気負荷１３、スタータ１４、第２検知部２２及び第２基本電気負荷２３のそれぞれの入力側にも、第１，第２モジュール１１，２１に設けられた第１，第２ダイオード１１ｃ，２１ｃと同様の役割を果たすダイオードが設けられている。
【００２６】
ちなみに本実施形態において、第１モジュール１１、第１検知部１２、第１基本電気負荷１３及びスタータ１４が第１電気負荷に相当し、第２モジュール２１、第２検知部２２及び第２基本電気負荷２３が第２電気負荷に相当する。
【００２７】
電源システムは、オルタネータ１６を備えている。オルタネータ１６は、クランク軸５０ａから動力を供給されることにより発電する。オルタネータ１６の発電電力により、第１バッテリ１０及び第２バッテリ２０を充電したり、その他の各電気負荷に電力を供給したりすることができる。なお、オルタネータ１６及びその周辺構成については、後に詳述する。
【００２８】
電源システムは、第１バッテリ１０の出力電圧を検出する第１電圧検出部６０と、第２バッテリ２０の出力電圧を検出する第２電圧検出部６１とを備えている。電源システムは、第１バッテリ１０から各電気負荷１１〜１３，１５へと供給される負荷電流を検出する第１電流検出部６２と、第２バッテリ２０から各電気負荷２１〜２３へと供給される負荷電流を検出する第２電流検出部６３とを備えている。
【００２９】
電源システムは、車両の各制御を行う制御部７０を備えている。制御部７０には、各検出部６０〜６３の検出値が入力される。制御部７０は、接続部４０の第１，第２リレー４２ａ，４２ｂの開閉制御、スタータ１４の駆動制御、及びエンジン５０の燃焼制御等を行う。また制御部７０は、第１バッテリ１０及び第２バッテリ２０の充電率（ＳＯＣ）をその目標値に制御する充放電制御を行う。なお上述した各制御は、実際には各別の制御部によって操作され得るが、図１にはこれら制御部を合わせて１つの制御部７０と表記している。また図１では、制御部７０からの制御指示を表す矢印を、便宜上、接続部４０及びオルタネータ１６に対してのみ記載している。
【００３０】
ちなみに、第１，第２リレー４２ａ，４２ｂの開閉制御は、第２バッテリ２０に劣化が生じた場合に、接続部４０の抵抗値をその初期値に対して増加させるように行われる。詳しくは、第２バッテリ２０の内部抵抗値が第１閾値Ｒｔｈ１以下の場合、第１，第２リレー４２ａ，４２ｂを閉操作（オン操作）する。その後、第２バッテリ２０の内部抵抗値が、第１閾値Ｒｔｈ１よりも大きくてかつ第２閾値Ｒｔｈ２（＞Ｒｔｈ１）以下となる場合、第１リレー４２ａの閉操作を維持しつつ、第２リレー４２ｂを開操作（オフ操作）に切り替える。その後、第２バッテリ２０の内部抵抗値が、第２閾値Ｒｔｈ２よりも大きくなる場合、第１，第２リレー４２ａ，４２ｂの双方を開操作する。
【００３１】
制御部７０には、冗長制御部７０ａが備えられている。冗長制御部７０ａは、各種走行制御において信頼性を向上させるための制御を行う。特に本実施形態では、冗長制御部７０ａは、第１，第２モジュール１１，２１及び第１，第２検知部１２，２２と共に車線維持支援システムを構成する。このシステムは、車載カメラである第１，第２検知部１２，２２の検出情報により自車両の道路の走行車線を認識し、自車両が走行車線を逸脱しそうになった場合、電動パワーステアリング装置のアシストトルクにより自車両を車線中央に引き戻す制御を行う。
【００３２】
なお本実施形態では、車線維持支援システムで実行される車線維持支援制御のために、電動パワーステアリング装置を第１，第２モジュール１１，２１に分割し、車載カメラとして２つの第１，第２検知部１２，２２を備えている。これにより、例えば、第１，第２検知部１２，２２のうち一方に異常が生じた場合であっても、他方の検知情報を制御に用いることができ、車線維持支援制御が急に実施できなくなる事態を回避できる。また、第１バッテリ１０及び第２バッテリ２０が備えられていることにより、第１，第２バッテリ１０，２０のうち一方に異常が生じた場合であっても、電源を冗長化でき、第１，第２モジュール１１，２１及び第１，第２検知部１２，２２の動作信頼性を高めることができる。その結果、車線維持支援制御の信頼性を高めることができる。
【００３３】
続いて、図４を用いて、オルタネータ１６及びその周辺構成について説明する。
【００３４】
オルタネータ１６は、３相２重巻線回転電機であり、具体的には、巻線界磁型同期機である。オルタネータ１６を構成するロータ１７は、界磁巻線１８を備え、また、クランク軸５０ａと動力伝達が可能とされている。なお、界磁巻線１８に流れる界磁電流は、界磁回路１８ａによって制御される。界磁回路１８ａは、制御部７０によって制御される。
【００３５】
オルタネータ１６を構成するステータには、２つの巻線群である第１巻線群１９ａ、第２巻線群１９ｂが巻回されている。第１，第２巻線群１９ａ，１９ｂに対して、ロータ１７が共通とされている。第１巻線群１９ａ及び第２巻線群１９ｂのそれぞれは、異なる中性点を有する３相巻線からなる。
【００３６】
オルタネータ１６は、第１巻線群１９ａに電気的に接続された第１インバータＩＶ１と、第２巻線群１９ｂに電気的に接続された第２インバータＩＶ２とを備えている。なお、本実施形態では、第１巻線群１９ａを構成する巻線のそれぞれのターン数と、第２巻線群１９ｂを構成する巻線のターン数とが等しく設定されている。
【００３７】
第１インバータＩＶ１は、Ｕ，Ｖ，Ｗ相に対応する第１上アームスイッチＳｐ１と、Ｕ，Ｖ，Ｗ相に対応する第１下アームスイッチＳｎ１との直列接続体を備えている。Ｕ，Ｖ，Ｗ相における上記直列接続体の接続点は、第１巻線群１９ａのＵ，Ｖ，Ｗ相の端子に接続されている。本実施形態では、第１上アームスイッチＳｐ１として、ＮチャネルＭＯＳＦＥＴを用いている。そして、第１上，下アームスイッチＳｐ１，Ｓｎ１には、第１上，下アームダイオードＤｐ１，Ｄｎ１が逆並列に接続されている。なお、各ダイオードＤｐ１，Ｄｎ１は、各スイッチＳｐ１，Ｓｎ１のボディダイオードであってもよい。
【００３８】
第２インバータＩＶ１は、Ｕ，Ｖ，Ｗ相に対応する第２上アームスイッチＳｐ２と、Ｕ，Ｖ，Ｗ相に対応する第２下アームスイッチＳｎ２との直列接続体を備えている。Ｕ，Ｖ，Ｗ相における上記直列接続体の接続点は、第２巻線群１９ｂのＵ，Ｖ，Ｗ相の端子に接続されている。本実施形態では、第２上アームスイッチＳｐ２として、ＮチャネルＭＯＳＦＥＴを用いている。そして、第２上，下アームスイッチＳｐ２，Ｓｎ２には、第２上，下アームダイオードＤｐ２，Ｄｎ２が逆並列に接続されている。なお、各ダイオードＤｐ２，Ｄｎ２は、各スイッチＳｐ２，Ｓｎ２のボディダイオードであってもよい。
【００３９】
第１上アームスイッチＳｐ１のドレインには、導電部材である第１主出力部Ｌ１を介して第１バッテリ１０の正極端子が接続されている。第１下アームスイッチＳｎ１のソースには、接地部位が接続されている。第２上アームスイッチＳｐ２のドレインには、導電部材である第２主出力部Ｌ２を介して第２バッテリ２０の正極端子が接続されている。本実施形態において、第１主出力部Ｌ１は、第２主出力部Ｌ２とは異なる部材である。第２下アームスイッチＳｎ２のソースには、接地部位が接続されている。
【００４０】
続いて、図５を用いて、オルタネータ１６の発電制御処理について説明する。この処理は、制御部７０によって例えば所定周期で繰り返し実行される。
【００４１】
この一連の処理では、まずステップＳ１０において、第１電流検出部６２により検出された電流を第１負荷電流ＩＬ１として取得し、第２電流検出部６３により検出された電流を第２負荷電流ＩＬ２として取得する。また、第１電圧検出部６０により検出された電圧を第１電圧Ｖ１として取得し、第２電圧検出部６１により検出された電圧を第２電圧Ｖ２として取得する。なお、第１，第２負荷電流ＩＬ１，ＩＬ２としては、第１，第２電流検出部６２，６３の検出値に限らず、例えば、各電気負荷１１〜１４，２１〜２３の動作状態から推定された電流値であってもよい。
【００４２】
続くステップＳ１２では、第１バッテリ１０の現在の開放端電圧である第１開放端電圧ＯＣＶ１と、第２バッテリ２０の現在の開放端電圧である第２開放端電圧ＯＣＶ２とを推定する。なお、第１開放端電圧ＯＣＶ１は、第１負荷電流ＩＬ１及び第１電圧Ｖ１に基づいて推定されればよく、第２開放端電圧ＯＣＶ２は、第２負荷電流ＩＬ２及び第２電圧Ｖ２に基づいて推定されればよい。また、第１開放端電圧ＯＣＶ１に基づいて第１バッテリ１０の現在の充電率である第１充電率ＳＯＣ１が推定され、第２開放端電圧ＯＣＶ２に基づいて第２バッテリ２０の現在の充電率である第２充電率ＳＯＣ２が推定される。ちなみに本実施形態において、ステップＳ１２の処理が第１電圧推定部に相当する。
【００４３】
続くステップＳ１４では、第１最大電圧Ｂ１ｍａｘ、第１最小電圧Ｂ１ｍｉｎ（＜Ｂ１ｍａｘ）、第２最大電圧Ｂ２ｍａｘ、及び第２最小電圧Ｂ２ｍｉｎ（＜Ｂ２ｍａｘ）を算出する。以下、図６を用いて、各電圧について説明する。図６の実線は、第１，第２バッテリ１０，２０の充電率（ＳＯＣ）と第１，第２バッテリ１０，２０の端子電圧ＣＣＶ１，ＣＣＶ２との関係を示す特性情報である。
【００４４】
図６に示すように、第１最大電圧Ｂ１ｍａｘは、第１バッテリ１０に入力可能な最大入力電力が第１バッテリ１０に入力される場合の第１バッテリ１０の端子電圧である。第１最大電圧Ｂ１ｍａｘは、現在の第１開放端電圧ＯＣＶ１よりも高くなる。第１最小電圧Ｂ１ｍｉｎは、第１バッテリ１０から出力可能な最大出力電力が第１バッテリ１０から出力される場合の第１バッテリ１０の端子電圧である。第１最小電圧Ｂ１ｍｉｎは、現在の第１開放端電圧ＯＣＶ１よりも低くなる。
【００４５】
第２最大電圧Ｂ２ｍａｘは、第２バッテリ２０に入力可能な最大入力電力が第２バッテリ２０に入力される場合の第２バッテリ２０の端子電圧である。第２最大電圧Ｂ２ｍａｘは、現在の第２開放端電圧ＯＣＶ２よりも高くなる。第２最小電圧Ｂ２ｍｉｎは、第２バッテリ２０から出力可能な最大出力電力が第２バッテリ２０から出力される場合の第２バッテリ２０の端子電圧である。第２最小電圧Ｂ２ｍｉｎは、現在の第２開放端電圧ＯＣＶ２よりも低くなる。
【００４６】
先の図５の説明に戻り、続くステップＳ１６では、オルタネータ１６の最大電流容量Ｉｐから第１負荷電流ＩＬ１を減算した値として、オルタネータ１６から第１主出力部Ｌ１を介して第１バッテリ１０に充電できる第１最大電流Ｉ１ｍａｘを算出する。本実施形態において、最大電流容量Ｉｐとは、オルタネータ１６の各出力部Ｌ１，Ｌ２へ出力可能な最大出力電流のことであり、オルタネータ１６の総出力電流の１／２に相当する。また、最大電流容量Ｉｐから第２負荷電流ＩＬ２を減算した値として、オルタネータ１６から第２主出力部Ｌ２を介して第２バッテリ２０に充電できる第２最大電流Ｉ２ｍａｘを算出する。
【００４７】
続くステップＳ１８では、第１最大電流Ｉ１ｍａｘで第１バッテリ１０に充電する場合に必要な第１バッテリ１０への供給電圧である第１最大充電電圧Ｖ１ｍａｘを算出する。詳しくは、図７に示すように、第１最大電流Ｉ１ｍａｘと、第１バッテリ１０の充放電電流及び第１バッテリ１０の端子電圧ＣＣＶ１の関係を規定する特性情報とに基づいて、第１最大充電電圧Ｖ１ｍａｘを算出する。すなわち、仮設定した第１最大電流Ｉ１ｍａｘで第１バッテリ１０が充電される場合における第１バッテリ１０の端子電圧を第１最大充電電圧Ｖ１ｍａｘとして算出する。第１最大充電電圧Ｖ１ｍａｘは、第１最小電圧Ｂ１ｍｉｎから第１最大電圧Ｂ１ｍａｘまでの電圧範囲内の値である。
【００４８】
またステップＳ１８では、第２最大電流Ｉ２ｍａｘで第２バッテリ２０に充電する場合に必要な第２バッテリ２０への供給電圧である第２最大充電電圧Ｖ２ｍａｘと算出する。詳しくは、図７に示すように、第２最大電流Ｉ２ｍａｘと、第２バッテリ２０の充放電電流及び第２バッテリ２０の端子電圧ＣＣＶ２の関係を規定する特性情報とに基づいて、第２最大充電電圧Ｖ２ｍａｘを算出する。すなわち、仮設定した第２最大電流Ｉ２ｍａｘで第２バッテリ２０が充電される場合における第２バッテリ２０の端子電圧を第２最大充電電圧Ｖ２ｍａｘとして算出する。第２最大充電電圧Ｖ２ｍａｘは、第２最小電圧Ｂ２ｍｉｎから第２最大電圧Ｂ２ｍａｘまでの電圧範囲内の値である。なお本実施形態において、ステップＳ１６，Ｓ１８の処理が第２電圧推定部に相当する。
【００４９】
先の図５の説明に戻り、続くステップＳ２０では、第１開放端電圧ＯＣＶ１及び第２開放端電圧ＯＣＶ２のうち、大きい方を第１判定電圧Ｖｃｌに設定する。また、第１最大充電電圧Ｖ１ｍａｘ及び第２最大充電電圧Ｖ２ｍａｘのうち、小さい方を第２判定電圧Ｖｃｕに設定する。なお本実施形態において、ステップＳ２０の処理が第１設定部及び第２設定部に相当する。
【００５０】
続くステップＳ２２では、第１判定電圧Ｖｃｌが第２判定電圧Ｖｃｕよりも小さいか否かを判定する。この処理は、第１バッテリ１０の充電指令電圧Ｖｒｅｇ１と、第２バッテリ２０の充電指令電圧Ｖｒｅｇ１とが同一の値に設定できるか否かを判定するための処理である。また、この処理は、第１バッテリ１０及び第２バッテリ２０のうち一方のバッテリを他方のバッテリよりも優先的に充電すべき状況であるか否かを判定するための処理である。なお本実施形態において、ステップＳ２２の処理が優先判定部に相当する。
【００５１】
ステップＳ２２において肯定判定した場合には、ステップＳ２４に進み、第１充電指令電圧Ｖｒｅｇ１及び第２充電指令電圧Ｖｒｅｇ２のそれぞれを、第２判定電圧Ｖｃｕに設定する。この設定により、オルタネータ１６の発電電力により各バッテリ１０，２０が充電される場合において接続部４０の両端で電圧が等しくなり、接続部４０を通過する電流が０となる。このため、オルタネータ１６の発電電力により第１バッテリ１０及び第２バッテリ２０が充電される場合における損失を低減できる。また、各充電指令電圧Ｖｒｅｇ１，Ｖｒｅｇ２を、ステップＳ２４において設定可能な電圧範囲の最大値としての第２判定電圧Ｖｃｕに設定できる。
【００５２】
ちなみに、ステップＳ２４において、第１充電指令電圧Ｖｒｅｇ１及び第２充電指令電圧Ｖｒｅｇ２を以下に説明するように設定してもよい。図８に示すように、第１判定電圧Ｖｃｌから第２判定電圧Ｖｃｕまでの電圧範囲に含まれて、かつ、電費が最小となる充電指令電圧に第１充電指令電圧Ｖｒｅｇ１及び第２充電指令電圧Ｖｒｅｇ２を設定してもよい。ここで、電費とは、オルタネータ１６の単位発電電力当たりのエンジン５０の燃料消費増加量のことである。この設定手法によれば、エンジン５０の燃費低減効果を高めることができる。なお、電費の算出手法は、例えば特開２００４−２６０９０８号公報や特開２００５−１２９７１号公報に記載されているため、その詳細な説明を省略する。
【００５３】
先の図５の説明に戻り、ステップＳ２２において否定判定した場合には、ステップＳ２６に進み、第１充電指令電圧Ｖｒｅｇ１及び第２充電指令電圧Ｖｒｅｇ２のそれぞれを個別に設定する。本実施形態では、第１最大充電電圧Ｖ１ｍａｘ及び第２最大充電電圧Ｖ２ｍａｘのうち、第２判定電圧Ｖｃｕと同じ値の最大充電電圧に対応するバッテリを第１，第２バッテリ１０，２０から選択する。そして、選択したバッテリの充電指令電圧を第２判定電圧Ｖｃｕに設定する。図９には、第２充電指令電圧Ｖｒｅｇ２を第２判定電圧Ｖｃｕに設定する例を示した。
【００５４】
また、第１最大充電電圧Ｖ１ｍａｘ及び第２最大充電電圧Ｖ２ｍａｘのうち、第２判定電圧Ｖｃｕと同じ値ではない最大充電電圧に対応するバッテリを第１，第２バッテリ１０，２０から選択する。そして、選択したバッテリの充電指令電圧を、第２判定電圧Ｖｃｕよりも高くて、かつ、第１最大充電電圧Ｖ１ｍａｘ以下の値に設定する。図９には、第１充電指令電圧Ｖｒｅｇ１を、第２判定電圧Ｖｃｕよりも所定量ΔＶだけ高い値に設定する例を示した。
【００５５】
ステップＳ２６における各充電指令電圧Ｖｒｅｇ１，Ｖｒｅｇ２の設定手法によれば、例えば、第２バッテリ２０の充電を早期に完了したい場合、第２主出力部Ｌ２から出力された発電電力に加えて、第１主出力部Ｌ１から出力された発電電力によって第２バッテリ２０を充電できる。
【００５６】
ちなみに本実施形態において、ステップＳ２４，Ｓ２６の処理が指令値設定部に相当する。
【００５７】
先の図５の説明に戻り、ステップＳ２４，Ｓ２６の処理が完了した場合には、ステップＳ２８に進む。ステップＳ２８では、電源システムに備えられているオルタネータ１６の仕様が、電圧制御仕様であるか電流制御仕様であるか否かを判定する。
【００５８】
ステップＳ２８において電圧制御仕様であると判定した場合には、ステップＳ３０に進み、ステップＳ２４又はステップＳ２６で設定した第１，第２充電指令電圧Ｖｒｅｇ１，Ｖｒｅｇ２に基づいて、第１，第２インバータＩＶ１，ＩＶ２を操作する。詳しくは、第１インバータＩＶ１から第１バッテリ１０に出力される直流電圧を第１充電指令電圧Ｖｒｅｇ１に制御すべく、第１インバータＩＶ１を構成する各スイッチＳｐ１，Ｓｎ１を開閉操作する。また、第２インバータＩＶ２から第２バッテリ２０に出力される直流電圧を第２充電指令電圧Ｖｒｅｇ２に制御すべく、第２インバータＩＶ２を構成する各スイッチＳｐ２，Ｓｎ２を開閉操作する。
【００５９】
一方、ステップＳ２８において否定判定した場合には、電流制御仕様であると判定し、ステップＳ３２に進む。ステップＳ３２では、第１充電指令電圧Ｖｒｅｇ１を第１充電指令電流Ｉｇｅｎ１に換算し、第２充電指令電圧Ｖｒｅｇ２を第２充電指令電流Ｉｇｅｎ２に換算する。本実施形態において、ステップＳ３２の処理が換算部に相当する。以下、換算手法について説明する。
【００６０】
まず、第１充電指令電圧Ｖｒｅｇ１及び第２充電指令電圧Ｖｒｅｇ２が同一の値に設定される場合について説明する。第１バッテリ１０を流れる充電電流をＩｃｈｇ１、接続部４０を流れる電流をＩｔｒａｎｓと定義すると、第１主出力部Ｌ１から出力される電流である第１充電指令電流Ｉｇｅｎ１は下式（ｅｑ１）で算出できる。
【００６１】
【数１】
0006631296.tif 000002
ここで、接続部４０を流れる電流Ｉｔｒａｎｓは、第１バッテリ１０側から第２バッテリ２０側に向かう方向を正と定義する。また、第２バッテリ２０を流れる充電電流をＩｃｈｇ２と定義すると、第２主出力部Ｌ２から出力される電流である第２充電指令電流Ｉｇｅｎ２は下式（ｅｑ２）で算出できる。
【００６２】
【数２】
0006631296.tif 000003
ここで、第１充電指令電圧Ｖｒｅｇ１及び第２充電指令電圧Ｖｒｅｇ２が同一の値に設定される場合、「Ｉｔｒａｎｓ＝０」となる。すなわち、上式（ｅｑ１），（ｅｑ２）は、下式（ｅｑ３），（ｅｑ４）となる。
【００６３】
【数３】
0006631296.tif 000004
【００６４】
【数４】
0006631296.tif 000005
図７に示す第１バッテリ１０の充放電電流及び端子電圧ＣＣＶ１の関係に基づいて、第１充電指令電圧Ｖｒｅｇ１を、第１バッテリ１０を流れる充電電流Ｉｃｈｇ１に換算する。そして、換算した充電電流Ｉｃｈｇ１と、第１負荷電流ＩＬ１と、上式（ｅｑ３）とに基づいて、第１充電指令電流Ｉｇｅｎ１を算出する。一方、図７に示す第２バッテリ２０の充放電電流及び端子電圧ＣＣＶ２の関係に基づいて、第２充電指令電圧Ｖｒｅｇ２を、第２バッテリ２０を流れる充電電流Ｉｃｈｇ２に換算する。そして、換算した充電電流Ｉｃｈｇ２と、第２負荷電流ＩＬ２と、上式（ｅｑ４）とに基づいて、第２充電指令電流Ｉｇｅｎ２を算出する。
【００６５】
続いて、第１充電指令電圧Ｖｒｅｇ１と第２充電指令電圧Ｖｒｅｇ２が異なる場合について説明する。本実施形態では、接続部４０の抵抗値をＲａ、第１充電指令電圧Ｖｒｅｇ１及び第２充電指令電圧Ｖｒｅｇ２の差である充電電位差ΔＶを下式（ｅｑ５）から算出する。
【００６６】
【数５】
0006631296.tif 000006
上式（ｅｑ５）から算出した充電電位差ΔＶと、下式（ｅｑ６）とに基づいて、接続部４０に流れる電流Ｉｔｒａｎｓを算出する。
【００６７】
【数６】
0006631296.tif 000007
そして、換算した充電電流Ｉｃｈｇ１、第１負荷電流ＩＬ１、上式（ｅｑ６）から算出した電流Ｉｔｒａｎｓ、及び上式（ｅｑ１）に基づいて、第１充電指令電流Ｉｇｅｎ１を算出する。また、換算した充電電流Ｉｃｈｇ２、第２負荷電流ＩＬ２、上式（ｅｑ６）から算出した電流Ｉｔｒａｎｓ、及び上式（ｅｑ２）に基づいて、第２充電指令電流Ｉｇｅｎ２を算出する。
【００６８】
続くステップＳ３４では、ステップＳ３２で換算した第１，第２充電指令電流Ｉｇｅｎ１，Ｉｇｅｎ２に基づいて、第１，第２インバータＩＶ１，ＩＶ２を操作する。詳しくは、第１インバータＩＶ１から第１バッテリ１０に出力される直流電流を第１充電指令電流Ｉｇｅｎ１に制御すべく、第１インバータＩＶ１を構成する各スイッチＳｐ１，Ｓｎ１を開閉操作する。また、第２インバータＩＶ２から第２バッテリ２０に出力される直流電流を第２充電指令電流Ｉｇｅｎ２に制御すべく、第２インバータＩＶ２を構成する各スイッチＳｐ１，Ｓｎ１を開閉操作する。
【００６９】
ちなみに本実施形態において、ステップＳ３０，Ｓ３４の処理が操作部に相当する。
【００７０】
以上詳述した本実施形態によれば、以下の効果が得られるようになる。
【００７１】
第１電気経路３０ａに第１主出力部Ｌ１を接続し、第２電気経路３０ｂに第２主出力部Ｌ２を接続した。このため、第１電気経路３０ａ及び第２電気経路３０ｂのうち一方のみに主出力部が接続されている構成と比較して、接続部４０の両端の電位差を小さくでき、接続部４０を流れる電流を低減することができる。特に本実施形態では、第１充電指令電圧Ｖｒｅｇ１及び第２充電指令電圧Ｖｒｅｇ２を同一の値に設定した。このため、オルタネータ１６の発電電力によって第１バッテリ１０及び第２バッテリ２０のそれぞれを充電する場合における損失を好適に低減できる。また、損失を低減することにより、接続部４０に電流が流れることによる発熱を抑制できる。このため、フィン等の放熱部の体格を小さくでき、ひいては電源システムを車両に搭載しやすくできる。
【００７２】
第１バッテリ１０及び第２バッテリ２０のうち一方のバッテリを他方のバッテリよりも優先的に充電すると判定された場合、上記一方のバッテリの充電指令電圧を上記他方のバッテリの充電指令電圧よりも大きく設定した。このため、優先的に充電すべきバッテリの充電を促進できる。
【００７３】
オルタネータ１６が電流制御仕様であると判定された場合、各充電指令電圧Ｖｒｅｇ１，Ｖｒｅｇ２を各充電指令電流Ｉｇｅｎ１，Ｉｇｅｎ２に換算した。そして、換算した各充電指令電流Ｉｇｅｎ１，Ｉｇｅｎ２に基づいて、各インバータＩＶ１，ＩＶ２を操作した。このため、電流量を直接の制御量とすることができ、各バッテリ１０，２０の充電制御を高精度に行うことができる。
【００７４】
（第２実施形態）
以下、第２実施形態について、上記第１実施形態との相違点を中心に図面を参照しつつ説明する。本実施形態では、図１０に示すように、電動パワーステアリング装置ＥＰＳの構成を変更する。なお図１０において、先の図３に示した構成と同一の構成については、便宜上、同一の符号を付している。
【００７５】
図示されるように、第１ダイオード１１ｃ及び第２ダイオード２１ｃのそれぞれのカソードには、第１駆動回路１１ａ及び第２駆動回路２１ａのそれぞれの共通の電源ＣＳの第１端に接続され、電源ＣＳの第２端には接地部位が接続されている。本実施形態では、電源ＣＳとしてコンデンサを用いている。
【００７６】
以上説明した構成において、各電気負荷１１〜１４，２１〜２３の入力側にダイオードを設けることにより、以下に説明する効果が得られるようになる。詳しくは、各電気負荷１１〜１４，２１〜２３を介して第１バッテリ１０と第２バッテリ２０との間で電力が授受されることを回避でき、オルタネータ１６の発電制御を適正に実施できなくなる事態を回避できる。なお、この場合において、ダイオードの代わりに、ボディダイオードのアノード，カソードの向きを上記ダイオードのアノード，カソードの向きと一致させた上記ＭＯＳＦＥＴを用いる場合に、充電電位差ΔＶをゼロ以外に設定する場合は、ＭＯＳＦＥＴをオフ状態にしてボディダイオードのみで受電させることにより、共通の電源ＣＳを介した電力授受を防止することができる。ちなみに上記ＭＯＳＦＥＴは、第１ダイオード１１ｃ側を例にして説明すると、第１電気経路３０ａ側にソースが接続され、電源ＣＳ側にドレインが接続されたＮチャネルＭＯＳＦＥＴである。
【００７７】
（第３実施形態）
以下、第３実施形態について、上記第１実施形態との相違点を中心に図面を参照しつつ説明する。本実施形態では、第２バッテリ２０の異常判定処理を行う。本実施形態において、第２バッテリ２０の異常には、第２バッテリ２０の劣化も含まれる。
【００７８】
図１１に、異常判定処理の手順を示す。この処理は、制御部７０により例えば所定周期で繰り返し実行される。
【００７９】
この一連の処理では、まずステップＳ４０において、第２バッテリ２０の異常判定条件が成立しているか否かを判定する。本実施形態では、判定条件として、車両のドアが開いているとの条件を用いる。
【００８０】
ステップＳ４０において判定条件が成立していると判定した場合には、ステップＳ４２に進み、前回の異常判定から所定期間経過しているか否かを判定する。ここで、上記所定期間は、例えば数日に設定されている。
【００８１】
ステップＳ４２において肯定判定した場合には、ステップＳ４４に進み、第２バッテリ２０から出力された直流電圧を交流電圧に変換して第２巻線群１９ｂに印加し、オルタネータ１６からトルクを出力させるべく、第２インバータＩＶ２を操作する。
【００８２】
続くステップＳ４６では、第２インバータＩＶ２の操作期間における第２負荷電流ＩＬ２及び第２電圧Ｖ２に基づいて、第２バッテリ２０の内部抵抗値Ｒｃ２を推定する。本実施形態では、第２負荷電流ＩＬ２の変化量に対する第２電圧Ｖ２の変化量の割合として、内部抵抗値Ｒｃ２を推定する。このため、上記割合が把握しやすくなるような電流変化及び電圧変化となるように第２インバータＩＶ２を操作すればよい。
【００８３】
なお、第２インバータＩＶ２の操作期間において、ロータ１７が回転しないようにロータ１７の回転にブレーキをかけるブレーキ装置をオルタネータ１６に備えてもよい。また、第１巻線群１９ａへの通電により発生するトルクと、第２巻線群１９ｂへの通電により発生するトルクとが逆向きになるように第１，第２インバータＩＶ１，ＩＶ２を操作してもよい。これにより、ブレーキ装置を備えることなく、ロータ１７の回転を防止できる。
【００８４】
続くステップＳ４８では、推定した内部抵抗値Ｒｃ２が所定値Ｒｔｈ未満であるか否かを判定する。この処理は、車両に現在搭載されている第２バッテリ２０を新品のバッテリに交換することを推奨する交換推奨情報をユーザに通知するための処理である。
【００８５】
ステップＳ４８において否定判定した場合には、第２バッテリ２０に異常が生じていると判定し、ステップＳ５０に進む。ステップＳ５０では、交換推奨情報をユーザに通知する。ここで交換推奨情報を、例えば、車両のインスツルメントパネルに設けられた警告灯等の表示部により通知したり、ユーザの所持する携帯端末にメール送信することにより通知したりすればよい。
【００８６】
以上説明した本実施形態によれば、第２バッテリ２０の異常を検出して第２バッテリ２０の交換を促すことができる。
【００８７】
（第４実施形態）
以下、第４実施形態について、上記第２実施形態との相違点を中心に図面を参照しつつ説明する。本実施形態では、図１０に示したダイオード１１ｃ，２１ｃに代えて、図１２に示す構成を用いる。なお図１２において、先の図１に示した構成と同一の構成については、便宜上、同一の符号を付している。また図１２では、オルタネータ１６等の図示を省略している。
【００８８】
図示されるように、第１バッテリ１０及び第２バッテリ２０の電力は、共通の電源８０に蓄積される。本実施形態では、電源８０としてバッテリを用いている。なお、電源８０としては、バッテリに限らず、例えばコンデンサであってもよい。
【００８９】
第１電気経路３０ａには、第１バッテリ１０から出力される直流電圧を変圧して出力する第１変圧部８１の入力側が接続されている。本実施形態において、第１変圧部８１は、ＤＣＤＣコンバータである。第１変圧部８１は、第１バッテリ１０側から電源８０側への電力の移動を許容し、電源８０側から第１バッテリ１０側への電力の移動を阻止する機能を有している。
【００９０】
第２電気経路３０ｂには、第２バッテリ２０から出力される直流電圧を変圧して出力する第２変圧部８２の入力側が接続されている。本実施形態において、第２変圧部８２は、ＤＣＤＣコンバータである。第２変圧部８２は、第２バッテリ２０側から電源８０側への電力の移動を許容し、電源８０側から第２バッテリ２０側への電力の移動を阻止する機能を有している。本実施形態において、第１変圧部８１の出力電圧は、第２変圧部８２の出力電圧と同一の値に設定されている。なお、第１変圧部８１及び第２変圧部８２の変圧機能は、具体的には、昇圧機能及び降圧機能のうち少なくとも一方の機能である。
【００９１】
電源８０には、第１モジュール１１、第１検知部１２、第１基本電気負荷１３、スタータ１４、第２モジュール２１、第２検知部２２及び第２基本電気負荷２３のそれぞれが並列接続されている。
【００９２】
以上説明した本実施形態によれば、共通の電源８０から第１，第２バッテリ１０，２０への電力の移動が第１，第２変圧部８１，８２によって阻止される。このため、電気負荷１１〜１４，２１〜２３を介した第１バッテリ１０と第２バッテリ２０との間の電力の授受を防止できる。
【００９３】
（第５実施形態）
以下、第５実施形態について、上記第１実施形態との相違点を中心に図面を参照しつつ説明する。本実施形態では、図１３及び図１４に示すように、オルタネータ及びその周辺構成を変更する。なお図１３及び図１４において、先の図１に示した構成と同一の構成については、便宜上、同一の符号を付している。
【００９４】
オルタネータ８０は、巻線界磁型同期機である。オルタネータ８０を構成するロータ８３は、界磁巻線８５を備え、また、クランク軸５０ａと動力伝達が可能とされている。なお、界磁巻線８５に流れる界磁電流は、界磁回路８５ａによって制御される。界磁回路８５ａは、制御部７０によって制御される。
【００９５】
オルタネータ８０を構成するステータには、１つの巻線群８４が巻回されている。巻線群８４は、異なる中性点を有する３相巻線からなる。オルタネータ８０は、巻線群８４に電気的に接続された整流回路ＣＣを備えている。本実施形態において、整流回路ＣＣは、上アームダイオードＤｐ及び下アームダイオードＤｎにより構成された全波整流回路である。
【００９６】
下アームダイオードＤｎのアノードには、接地部位が接続されている。一方、上アームダイオードＤｐのカソードには、導電部材である主出力部ＬＬｍが接続されている。主出力部ＬＬｍの分岐部ＬＢには、第１出力部ＬＬ１を介して第１バッテリ１０の正極端子が接続されている。また、分岐部ＬＢには、第２出力部ＬＬ２を介して第２バッテリ２０の正極端子が接続されている。
【００９７】
第１出力部ＬＬ１には、第１整流ダイオード８６が設けられている。第１整流ダイオード８６のアノードには、分岐部ＬＢ側が接続され、カソードには、第１バッテリ１０の正極端子側が接続されている。
【００９８】
第２出力部ＬＬ２には、第２整流ダイオード８７が設けられている。第２整流ダイオード８７のアノードには、分岐部ＬＢ側が接続され、カソードには、第２バッテリ２０の正極端子側が接続されている。
【００９９】
ちなみに本実施形態の発電制御処理において、先の図５のステップＳ２６の処理を除去すればよい。これは、本実施形態では、各充電指令電圧Ｖｒｅｇ１，Ｖｒｅｇ２が同一の値に設定されるためである。
【０１００】
以上説明した本実施形態によれば、第１バッテリ１０の出力電圧が第２バッテリ２０の出力電圧よりも高い場合であっても、第１整流ダイオード８６により、第１バッテリ１０から、第１出力部ＬＬ１、分岐部ＬＢ及び第２出力部ＬＬ２を介して第２バッテリ２０に電流が流れることを回避できる。一方、第２バッテリ２０の出力電圧が第１バッテリ１０の出力電圧よりも高い場合であっても、第２整流ダイオード８７により、第２バッテリ２０から、第２出力部ＬＬ２、分岐部ＬＢ及び第１出力部ＬＬ１を介して第１バッテリ１０に電流が流れることを回避できる。
【０１０１】
（第６実施形態）
以下、第６実施形態について、上記第１実施形態との相違点を中心に図面を参照しつつ説明する。本実施形態では、図１５に示すように、第２電気経路３０ｂ上に、遮断部材としての安全プラグ３１を設けている。なお、図１５において、先の図１に示した構成と同一の構成については、便宜上、同一の符号を付している。
【０１０２】
図示されるように、安全プラグ３１は、第２電気経路３０ｂ上に挿し込まれた状態で第１バッテリ１０及び第２バッテリ２０の間を電気的に接続する。一方、安全プラグ３１が第２電気経路３０ｂ上からユーザに引き抜かれることにより、第１バッテリ１０及び第２バッテリ２０の間が電気的に遮断される。
【０１０３】
なお、図１５には、第１バッテリ１０の正極，負極端子を１０ｐ，１０ｎにて示し、第２バッテリ２０の正極，負極端子を２０ｐ，２０ｎにて示した。また、各負極端子１０ｎ，２０ｎと接地部位とを接続する電気経路を３３にて示し、オルタネータ１６と接地部位とを接続する電気経路を３２にて示した。
【０１０４】
安全プラグ３１は、ユーザが車両を長期間使用しない場合にユーザにより引き抜かれる。その後、ユーザが車両を使用する場合に安全プラグ３１がユーザにより挿し込まれる。ここで、ユーザが車両を長期間使用しない場合とは、例えば、飛行場の駐車場で車両が長期間駐車される場合である。以下、安全プラグ３１の効果について説明する。
【０１０５】
第１バッテリ１０及び第２バッテリ２０が接続部４０を介して接続された状態では、第１バッテリ１０及び第２バッテリ２０の間に暗電流が流れ、接続部４０において電力が消費される。この電力消費が長期間継続されると、第１バッテリ１０及び第２バッテリ２０の充電容量が低下することとなる。こうした事態は、安全プラグ３１を引き抜くことにより回避できる。なお、車両の盗難防止機能を作動させる電気負荷、及び車両のドアロックを実施するための電気負荷は、第２バッテリ２０に電気的に接続されればよい。
【０１０６】
本実施形態では、安全プラグ３１にヒューズが設けられている。安全プラグ３１が第２電気経路３０ｂ上に挿し込まれた状態で、ヒューズは第１バッテリ１０及び第２バッテリ２０に直列接続される。以下、ヒューズの効果について説明する。
【０１０７】
先の図１において、第２バッテリ２０の正極端子から、接続部４０の第２バッテリ２０側、各電気負荷２１〜２３、及びオルタネータ１６の第２主出力部Ｌ２のそれぞれに接続されている配線の一部が接地部位に短絡した場合、第１バッテリ１０から接続部４０を介して第２バッテリ２０側へと大電流が流れる。一方、第１バッテリ１０の正極端子から、接続部４０の第１バッテリ１０側、各電気負荷１１〜１４、及びオルタネータ１６の第１主出力部Ｌ１のそれぞれに接続されている配線の一部が接地部位に短絡した場合、第２バッテリ２０から接続部４０を介して第１バッテリ１０側へと大電流が流れる。この場合、ヒューズが溶断されることにより、第１バッテリ１０と第２バッテリ２０とが電気的に遮断される。これにより、第１バッテリ１０及び第２バッテリ２０のうち短絡が生じていない方の系統の機能を維持することができる。つまり、第１バッテリ１０に接続された電気負荷、又は第２バッテリ２０に接続された電気負荷のどちらかは、動作できる。
【０１０８】
（その他の実施形態）
なお、上記各実施形態は、以下のように変更して実施してもよい。
【０１０９】
・上記第１実施形態において、オルタネータ１６に代えて、スタータ及びオルタネータ（発電機）の機能を統合したＩＳＧ（Integrated  Starter  Generator）を用いてもよい。この場合、スタータ１４を電源システムから除去すればよい。
【０１１０】
・接続部としては、上記第１実施形態に示したものに限らず、例えば図１６に示す接続部９０であってもよい。詳しくは、接続部９０は、第１〜第３抵抗体９１ａ〜９１ｃの直列接続体と、第１〜第３リレー９２ａ〜９２ｃとを備えている。第１リレー９２ａは、第１抵抗体９１ａに並列接続され、第２リレー９２ｂは、第２抵抗体９１ｂに並列接続され、第３リレー９２ｃは、第３抵抗体９１ｃに並列接続されている。この場合、各リレー９２ａ〜９２ｃを開操作することにより、上記第６実施形態の安全プラグ３１の機能を実現することができる。
【０１１１】
また、図２の第３抵抗体４１ｃにリレーを直列接続してもよい。この場合、接続部４０を構成する全てのリレーを開操作することにより、安全プラグ３１の機能を実現することができる。
【０１１２】
また、接続部としては、上記特許文献１のように、ＭＯＳＦＥＴ等の接続スイッチのみで構成されていてもよい。この場合、第１バッテリ１０の正極端子が、第１電気経路３０ａ、接続スイッチ及び第２電気経路３０ｂを介して第２バッテリ２０の正極端子と接続される。また、接続部としてＤＣＤＣコンバータを設置することも可能である。接続スイッチ及びＤＣＤＣコンバータのいずれを備える構成の場合でも、接続部を通過する電流を低減することができ、ひいては損失を低減できる。
【０１１３】
・上記第３実施形態の図１１において、ステップＳ４０の判定条件に、車両のイグニッションスイッチのオフ操作直後であるとの条件を含めてもよい。この場合、ユーザが車両の使用を完了した後、異常判定処理が実行される。
【０１１４】
・上記第３実施形態の図１１において、ステップＳ４４の処理を、スタータ１４を駆動させる処理としてもよい。この場合、クランク軸５０ａが回転しないように、ブレーキ装置によってクランク軸５０ａにブレーキをかけてもよい。
【０１１５】
・上記第１実施形態では、走行制御として、車線維持支援制御を行ったがこれに限らず、例えば、アンチロックブレーキ制御や、車両の自動ブレーキ制御を行ってもよい。
【０１１６】
・上記第６実施形態において、第１電気経路３０ａに安全プラグ３１を設けてもよい。
【０１１７】
・上記第１実施形態において、接続部を構成するスイッチとしては、リレーに限らず、例えば半導体スイッチング素子であってもよい。半導体スイッチング素子としては、例えば、ＭＯＳＦＥＴやＩＧＢＴを用いることができる。
【０１１８】
・バッテリの種類としては、鉛バッテリに限らず、例えば、リチウムイオンバッテリやニッケル水素バッテリであってもよい。
【０１１９】
・第１バッテリ及び第２バッテリとしては、互いに種類が同じものに限らず、種類が違うものであってもよい。また上記各実施形態において、第１バッテリ及び第２バッテリとしては、その満充電容量が互いに同じものであってもよいし、違うものであってもよい。
【符号の説明】
【０１２０】
１０…第１バッテリ、１６…オルタネータ、２０…第２バッテリ、４０…接続部、Ｌ１…第１出力部、Ｌ２…第２出力部。
【図１】
0006631296.tif 000008
【図２】
0006631296.tif 000009
【図３】
0006631296.tif 000010
【図４】
0006631296.tif 000011
【図５】
0006631296.tif 000012
【図６】
0006631296.tif 000013
【図７】
0006631296.tif 000014
【図８】
0006631296.tif 000015
【図９】
0006631296.tif 000016
【図１０】
0006631296.tif 000017
【図１１】
0006631296.tif 000018
【図１２】
0006631296.tif 000019
【図１３】
0006631296.tif 000020
【図１４】
0006631296.tif 000021
【図１５】
0006631296.tif 000022
【図１６】
0006631296.tif 000023